(57)【要約】【課題】先端余白の距離を精度よく検出し、ジャム等の発生を効果的に抑制することができる画像形成装置を提供する。【解決手段】用紙Ｐ上に所定の画像を転写する転写装置と、上記転写された上記画像を用紙Ｐ上に定着させる定着ローラ６とを備える複写機であって、定着ローラ６に向かう側の用紙Ｐの先端から上記転写された上記画像の先端までの先端余白の距離を、用紙Ｐの厚さに基づいて光学的に検出する光学センサ９を有するという構成を採用する。【選択図】図２
2010079062.tif 000002
【特許請求の範囲】
【請求項１】
記録媒体上に所定の画像を転写する転写装置と、前記転写された前記画像を前記記録媒体上に定着させる定着装置とを備える画像形成装置であって、
前記定着装置に向かう側の前記記録媒体の先端から前記転写された前記画像の先端までの先端余白の距離を、前記記録媒体の厚さに基づいて光学的に検出する光学センサを有することを特徴とする画像形成装置。
【請求項２】
前記光学センサは、検出対象に向けて光を投光する発光素子と、
前記投光した光の反射光を受光し、前記記録媒体の厚さを検出する受光素子とを有することを特徴とする請求項１に記載の画像形成装置。
【請求項３】
前記定着装置の近傍に設けられ、前記記録媒体と前記定着装置との張り付きを解除する分離装置と、
前記光学センサの検出結果に応じて、前記定着装置に対し近接する近接位置と、前記定着装置に対し離間する離間位置との間で、前記分離装置を移動させる駆動制御装置とを有することを特徴とする請求項１または２に記載の画像形成装置。
【請求項４】
前記分離装置は、前記定着装置の近傍の所定位置に固定して設けられる固定分離部材と、
前記定着装置の近傍に設けられ、前記駆動制御装置により移動する移動分離部材とを有することを特徴とする請求項３に記載の画像形成装置。
【請求項５】
前記駆動制御装置は、前記近接位置において前記分離装置と前記定着装置とを当接させ、
前記検出結果に応じて、前記当接する圧力を調節することを特徴とする請求項３または４に記載の画像形成装置。
【発明の詳細な説明】
【技術分野】
【０００１】
本発明は、複写機、プリンタ、またはファクシミリ装置等の画像形成装置に関するものである。
【背景技術】
【０００２】
複写機等の画像形成装置では、例えば、感光ドラム上にレーザー等を走査させて静電潜像を形成し、該静電潜像にトナーを付着させて用紙等の記録媒体に画像を転写する転写装置と、該画像が転写された記録媒体を一対の定着ローラ間を通過させて、所定の圧力及び加熱を加えることで該画像を記録媒体上に定着させる定着装置とを備えるものが知られている。
【０００３】
ところで、上記構成の画像形成装置において、上記定着時に記録媒体が定着ローラに張り付くことがある。より詳しくは、記録媒体上に転写されたトナーが、記録媒体と定着ローラとを密着させることにより、該張り付きが発生する。したがって、定着ローラの近傍に分離爪等を備える分離装置を設けて、記録媒体を定着ローラから分離させることがなされているが、分離爪は、記録媒体の画像が転写されていない先端余白の部分、つまり、張り付きが発生していない部分に、その先端を挿入して該分離を行う仕様となっており、該先端余白部分の大きさ（距離）に応じてその分離特性が変化する。このことから、先端余白の距離が不十分であると、分離爪により該分離が行えずに記録媒体が定着ローラに巻き込まれ、紙詰まり（ジャム）、耳折れ等を発生させる場合がある。
【０００４】
従来、この先端余白の距離を検出してジャム等を抑制する画像形成装置として、例えば、特許文献１及び特許文献２に記載の画像形成装置が知られている。この特許文献によれば、転写装置と定着装置との間に画像読み取りセンサを設け、転写材（記録媒体）の先端位置とその転写材の画像先端位置との関係を把握し、先端余白を検出するとの記載がなされている。
【特許文献１】特開２００３−１５００１８号公報
【特許文献２】特開２００６−１５４６４５号公報
【発明の開示】
【発明が解決しようとする課題】
【０００５】
しかしながら、上記特許文献には、記録媒体の先端位置と画像先端位置とを検出する具体的な構成が記載されていない。したがって、記録媒体の先端位置と画像先端位置とを検出し、先端余白の距離を検出する具体的な装置及び方法の提供が望まれている。
【０００６】
また、特許文献２には、転写直前の記録媒体の先端位置を検出し、感光ドラム上に形成した画像先端位置と比較することにより、先端余白の距離を算出しても良いと記載されているが、記録媒体の種類やその表面平滑性の高い記録媒体等においては、搬送中に滑りが発生し当該検出結果が予測値にしかならない虞があり、その検出精度に関しての問題がある。
【０００７】
本発明は、上述する問題点に鑑みてなされたもので、先端余白の距離を精度よく検出し、ジャム等の発生を効果的に抑制することができる画像形成装置を提供することを目的とする。
【課題を解決するための手段】
【０００８】
上記の課題を解決するために、本発明は、記録媒体上に所定の画像を転写する転写装置と、上記転写された上記画像を上記記録媒体上に定着させる定着装置とを備える画像形成装置であって、上記定着装置に向かう側の上記記録媒体の先端から上記転写された上記画像の先端までの先端余白の距離を、上記記録媒体の厚さに基づいて光学的に検出する光学センサを有するという構成を採用する。
このような構成を採用することによって、本発明では、光学センサを用いて、画像が転写されていない部分の記録媒体の厚さと、画像が転写されている部分の記録媒体の厚さとを検出し、その厚さの差から先端余白の始点と終点とを検出して、先端余白の距離を検出することが可能となる。また、転写後の記録媒体の厚さを、光学センサを用いて実際に検出することにより、従来のような予想値よりも、先端余白の検出を精度良く行うことが可能となる。
【０００９】
また、本発明においては、上記光学センサは、検出対象に向けて光を投光する発光素子と、上記投光した光の反射光を受光し、上記記録媒体の厚さを検出する受光素子とを有するという構成を採用する。
このような構成を採用することによって、本発明では、発光素子と受光素子とを具備することにより、非接触で記録媒体の厚さを精度良く検出することが可能となる。
【００１０】
また、本発明においては、上記定着装置の近傍に設けられ、上記記録媒体と上記定着装置との張り付きを解除する分離装置と、上記光学センサの検出結果に応じて、上記定着装置に対し近接する近接位置と、上記定着装置に対し離間する離間位置との間で、上記分離装置を移動させる駆動制御装置とを有するという構成を採用する。
このような構成を採用することによって、本発明では、先端余白の距離に応じて、分離装置を定着装置に対して近接離間させることによって、記録媒体と定着装置との張り付きを解除してジャム等を抑制することができる。
【００１１】
また、本発明においては、上記分離装置は、上記定着装置の近傍の所定位置に固定して設けられる固定分離部材と、上記定着装置の近傍に設けられ、上記駆動制御装置により移動する移動分離部材とを有するという構成を採用する。
このような構成を採用することによって、本発明では、先端余白が所定距離以上である通常時では固定分離部材により張り付き解除を行い、先端余白が所定距離未満である非常時では移動分離部材を固定分離部材より定着装置に近接させて張り付き解除を行うことが可能となる。
【００１２】
また、本発明においては、上記駆動制御装置は、上記近接位置において上記分離装置と上記定着装置とを当接させ、上記検出結果に応じて、上記当接する圧力を調節するという構成を採用する。
このような構成を採用することによって、本発明では、当接する圧力を調整することで、例えば、先端余白の距離が小さい場合であっても、分離装置による張り付き解除不良を防止することが可能となる。
【発明の効果】
【００１３】
本発明によれば、記録媒体上に所定の画像を転写する転写装置と、上記転写された上記画像を上記記録媒体上に定着させる定着装置とを備える画像形成装置であって、上記定着装置に向かう側の上記記録媒体の先端から上記転写された上記画像の先端までの先端余白の距離を、上記記録媒体の厚さに基づいて光学的に検出する光学センサを有するという構成を採用することによって、光学センサを用いて、画像が転写されていない部分の記録媒体の厚さと、画像が転写されている部分の記録媒体の厚さとを検出し、その厚さの差から先端余白の始点と終点とを検出して、先端余白の距離を検出することが可能となる。また、転写後の記録媒体の厚さを、光学センサを用いて実際に検出することにより、従来の予想値よりも先端余白の検出を精度良く行うことが可能となる。
したがって、本発明では、先端余白の距離を精度よく検出し、ジャム等の発生を効果的に抑制することができる画像形成装置を提供することができる効果がある。
【発明を実施するための最良の形態】
【００１４】
次に、本発明の実施形態を図面に基づいて説明する。なお、以下に説明においては、本発明の画像形成装置を複写機に適応した場合の例について説明する。また、以下の図面において、各部材を認識可能な大きさとするために、各部材の縮尺を適宜変更している。
【００１５】
（第１実施形態）
先ず、図１を参照して、本発明の第１実施形態における複写機１の構成について説明する。
図１は、本発明の第１実施形態における複写機１の概略構成を示す正面図である。
複写機１は、原稿から画像を読み取る画像読取部２と、用紙（記録媒体）Ｐに画像を形成する画像形成部３と、用紙Ｐを収容する給紙カセット４ａと、用紙Ｐを給紙する給紙トレイ４ｂと、画像形成部３にて形成された画像を用紙Ｐに転写する転写装置５と、転写された画像を用紙Ｐ上に定着させる定着ローラ（定着装置）６と、定着が完了し排出された用紙Ｐを受ける排紙トレイ７と、給紙カセット４ａあるいは給紙トレイ４ｂから排紙トレイ７まで用紙Ｐを搬送する搬送路８と、転写装置５と定着ローラ６との間に設けられる光学センサ９と、定着ローラ６の近傍に設けられる分離装置１０と、光学センサ９の検出結果に基づいて分離装置１０を移動させる駆動制御装置１１（図１において不図示、図２参照）とを概略備える。
【００１６】
画像読取部２は、例えば、図１に示す原稿自動送り装置２１と、原稿の画像を読み取るスキャナ２２とを備える構成となっており、原稿自動送り装置２１から供給された原稿の画像をスキャナ２２で読み取る構成となっている。
画像形成部３は、画像読取部２において読み取った画像データに基づいて画像を形成するものであり、例えば、感光ドラム３１、帯電装置３２、露光装置３３、現像装置３４、クリーニングユニット３５を概略備える構成となっている。
【００１７】
感光ドラム３１は、円柱に形状設定され、その周面に静電潜像及び当該静電潜像に基づくトナー像が形成されるものである。帯電装置３２は、感光ドラム３１に対して対向配置され、感光ドラム３１の周面を帯電状態とするものである。露光装置３３は、印刷形式の画像データに基づいてレーザー光を射出し、そのレーザー光を帯電状態の感光ドラム３１の周面において走査するものである。現像装置３４は、感光ドラム３１の周面に対してトナーを供給することによって感光ドラム３１の周面上に静電潜像に基づく画像を現像するものである。クリーニングユニット３５は、転写の後に感光ドラム３１上に残留したトナーを除去するものである。
【００１８】
転写装置５は、感光ドラム３１と対向配置され、転写装置５と感光ドラム３１との間に搬送される用紙Ｐに感光ドラム３１に担持されている画像を転写するものであり、感光ドラム３１に担持されたトナー像に所定の電荷を与えて用紙Ｐに吸着させる帯電器を備える構成となっている。
定着ローラ６は、加圧・加熱することにより用紙Ｐ上に転写された画像を定着させるものであり、その周面にシリコーンゴム等の弾性体から構成される弾性層６ａが形成される（図２参照）。
【００１９】
給紙カセット４ａは、装置本体に対して引き出し自在であり、用紙Ｐを給紙・収容するものである。給紙トレイ４ｂは、装置本体に対して開閉自在であり、用紙Ｐを給紙・収容するものである。
搬送路８は、給紙カセット４ａから用紙Ｐを搬出するピックアップローラ８１、用紙Ｐを搬送する給紙ローラ８２、画像が転写された用紙Ｐを定着ローラ６に搬送する搬送ベルト８３、排紙トレイ７に用紙Ｐを排紙する排紙ローラ８４等を備える。
【００２０】
次に、このような複写機１に設けられる光学センサ９、分離装置１０及び駆動制御装置１１の特徴的な構成及び動作について図２〜図５を参照して説明する。
図２は、本発明の第１実施形態における複写機１の要部拡大図である。
図３は、本発明の第１実施形態における光学センサ９の検出原理を説明する図である。
図４は、本発明の第１実施形態における光学センサ９の検出結果の一例を示す図である。
図５は、本発明の第１実施形態における分離装置１０の動作を説明する図である。
【００２１】
光学センサ９は、図２に示すように、レーザー光Ｌを投光する投光装置（発光素子）９１と、レーザー光Ｌを受光する受光装置（受光素子）９４とを備える。
投光装置９１は、搬送ベルト８３の搬送面に向けてレーザー光Ｌを投光するように配置される。この投光装置９１は、レーザー光Ｌを投光する投光部９２と、シリンドリカルレンズ等から構成される投光レンズ９３とを備えている。投光レンズ９３は、投光部９２により投光されたレーザー光Ｌを、搬送ベルト８３の搬送方向において所定幅に広げるものとなっている。
【００２２】
受光装置９４は、投光装置９１が投光して検出対象（用紙Ｐ、搬送ベルト８３を含む）で反射したレーザー光Ｌを受光することで、搬送方向における検出対象の２次元の形状（高さ、厚さ、段差等）を検出して、用紙Ｐの先端余白の距離を検出するものであり、反射したレーザー光Ｌを受光する受光部９５と、反射したレーザー光Ｌを受光部９５上に結像させる受光レンズ９６とを備えている。
【００２３】
上記構成の光学センサ９は、図３に示すようにして検出対象の２次元の形状を検出する。より詳しくは、先ず、光学センサ９は、投光部９２から投光レンズ９３を介してレーザー光Ｌを検出対象に投光する。投光されたレーザー光Ｌは、検出対象の表面で反射され、受光レンズ９６を介して受光部９５に結像される。ここで、反射したレーザー光Ｌは、検出対象の変位（高さ）Ａ〜Ｃに応じて、受光部９５上にそれぞれ結像位置ａ〜ｃで結像されることとなる。そして、受光部９５が該結像位置に対応する所定の電気信号を生成することによって、図４に示すような検出対象の２次元の形状が検出される。
【００２４】
当該検出結果は、縦軸に高さが、横軸に距離が設定されるグラフによって示される。なお、縦軸は、搬送ベルト８３の搬送面を基準として設定されている。光学センサ９は、この検出結果より、画像（トナー層）が転写されていない部分の用紙Ｐの厚さｐ１と、画像が転写されている部分の用紙Ｐの厚さｐ２とを検出し、その厚さの差から先端余白の始点ｑ１と終点ｑ２とを検出して、先端余白の距離Ｋを検出する。
【００２５】
より具体的には、搬送ベルト８３の搬送面から厚さｐ１に変位し始める位置（高さの最小位置）を始点ｑ１として検出し、厚さｐ１から厚さｐ２に変位して高さが最大位置となる位置を終点ｑ２として検出し、その始点ｑ１と終点ｑ２との差分を計算して先端余白の距離Ｋを検出する。
なお、先端余白の距離Ｋの計算は、上記最大位置と最小位置との差に基づいて計算する構成に限定されるものではなく、例えば、厚さｐ１、ｐ２の平均値や偏差値に基づいて計算する構成であっても良い。
【００２６】
図２に戻り、駆動制御装置１１は、上記光学センサ９の検出結果に基づいて、後述する分離装置１０を駆動させるものであり、ＣＰＵ（Central Processing Unit）、ＲＯＭ（Read Only Memory）やＲＡＭ（Random Access Memory）等の内部メモリから成る電子部品及び電子回路等、並びに光学センサ９の投光装置９１及び受光装置９４、分離装置１０の駆動源１０３Ｂとのデータ授受を行う各種入出力インターフェース回路等から構成されている。
【００２７】
分離装置１０は、図５に示すように、固定分離部材１０１Ａと、移動分離部材１０１Ｂとを備える。なお、固定分離部材１０１Ａは、光学センサ９の検出結果に依存しないものである。一方、移動分離部材１０１Ｂは、光学センサ９の検出結果に依存するものである。
固定分離部材１０１Ａは、定着ローラ６に張り付く用紙Ｐを分離させるブレード１０２Ａを備えると共に、付勢装置１０３Ａと接続されて、ブレード１０２Ａの先端が定着ローラ６の周面から所定距離を空けた位置に固定される。
【００２８】
移動分離部材１０１Ｂは、定着ローラ６に張り付く用紙Ｐを分離させるブレード１０２Ｂを備えると共に、駆動源１０３Ｂと接続される。駆動源１０３Ｂは、モータやソレノイド等を備えており、移動分離部材１０１Ｂを、支点１０１Ｂ１を通り搬送方向と直交する水平方向（図５において紙面垂直方向）に延びる軸周りに回転させ、定着ローラ６に対し近接する近接位置（図５において２点鎖線で示す）と、定着ローラ６に対し離間する離間位置（図５において実線で示す）との間で移動させる構成となっている。
なお、移動分離部材１０１Ｂが近接位置にあるとき、ブレード１０２Ｂの先端は、ブレード１０２Ａの先端より、定着ローラ６の周面に近接する位置にある。対して、移動分離部材１０１Ｂが離間位置にあるとき、ブレード１０２Ｂの先端は、ブレード１０２Ａの先端より、定着ローラ６の周面から離間する位置にある。
【００２９】
続いて、上記構成を有する複写機１の光学センサ９の検出結果に基づいた一連の動作について図６を参照して説明する。
図６は、本発明の第１実施形態における複写機１の動作を説明するフローチャートである。
先ず、複写機１は、図１に示す給紙カセット４ａから用紙Ｐを搬出し、搬出した用紙Ｐを搬送路８に沿って転写装置５が設けられる位置まで搬送する。用紙Ｐは当該位置において、感光ドラム３１と転写装置５との間に挿入される。転写装置５は、用紙Ｐの裏面から所定の電荷を与えることによって感光ドラム３１に担持された画像を用紙Ｐの表面に転写させる（ステップＳ１）。
【００３０】
画像が転写された用紙Ｐは、搬送ベルト８３により定着ローラ６に向けて搬送される。ここで、光学センサ９は、搬送ベルト８３上を搬送されている用紙Ｐに対してレーザー光を投光し、反射光を受光することによって、図４に示すような搬送方向における検出対象の２次元形状を計測し、当該検出結果に基づいて、定着ローラ６に向かう側の先端余白の距離Ｋを検出すると共に、当該検出結果を駆動制御装置１１に出力する（ステップＳ２）。
【００３１】
当該検出結果を入力された駆動制御装置１１は、先端余白の距離Ｋが所定の閾値より小さいか否かを検出する（ステップＳ３）。当該閾値は、用紙Ｐと定着ローラ６との張り付き特性に考慮した値に設定されており、より詳しくは、当該閾値は、分離装置１０の固定分離部材１０１Ａにより用紙Ｐと定着ローラ６との張り付きの解除を行える限界の先端余白の距離（例えば３ｍｍ程度）に設定されている。
【００３２】
先端余白の距離Ｋが所定の閾値より小さい場合は、駆動制御装置１１は、駆動源１０３Ｂを駆動させ、図５に示す近接位置に移動分離部材１０１Ｂを位置させる（ステップＳ４）。一方、先端余白の距離Ｋが所定の閾値より大きい場合は、駆動制御装置１１は、駆動源１０３Ｂを駆動させ、図５に示す離間位置に移動分離部材１０１Ｂを位置させる（ステップＳ５）。
【００３３】
そして、用紙Ｐは、搬送ベルト８３により定着ローラ６の間に搬送される。定着ローラ６は、用紙Ｐを加圧・加温し、画像を用紙Ｐ上に定着させる（ステップＳ６）。
このとき、用紙Ｐが定着ローラ６に張り付くことがあるが、分離装置１０によりその張り付きが解除される（ステップＳ７）。より詳しくは、先端余白の距離Ｋが、３ｍｍより大きい場合は、固定分離部材１０１Ａによりその張り付きを解除する、一方、先端余白の距離Ｋが、３ｍｍより小さい場合は、固定分離部材１０１Ａより定着ローラ６に近接する移動分離部材１０１Ｂによりその張り付きを解除することとなる。したがって、先端余白の距離Ｋに応じて、移動分離部材１０１Ｂを移動させることによって、ジャム等の発生を効果的に抑制することができることとなる。
【００３４】
したがって、上述の本実施形態によれば、用紙Ｐ上に所定の画像を転写する転写装置５と、上記転写された上記画像を用紙Ｐ上に定着させる定着ローラ６とを備える複写機１であって、定着ローラ６に向かう側の用紙Ｐの先端から上記転写された上記画像の先端までの先端余白の距離Ｋを、用紙Ｐの厚さに基づいて光学的に検出する光学センサ９を有するという構成を採用することによって、画像が転写されていない部分の用紙Ｐの厚さｐ１と、画像が転写されている部分の用紙Ｐの厚さｐ２とを検出し、その厚さの差から先端余白の始点ｑ１と終点ｑ２とを検出して、先端余白の距離Ｋを検出することが可能となる。また、転写後の用紙Ｐの厚さを、光学センサ９を用いて実際に検出することにより、従来の予想値よりも先端余白の検出を精度良く行うことが可能となる。
したがって、本実施形態では、先端余白の距離Ｋを精度よく検出し、ジャム等の発生を効果的に抑制することができる複写機１を提供することができる効果がある。
【００３５】
また、本実施形態においては、光学センサ９は、検出対象に向けてレーザー光Ｌを投光する投光装置９１と、上記投光したレーザー光Ｌの反射光を受光し、用紙Ｐの厚さを検出する受光装置９４とを有するという構成を採用することによって、非接触で用紙Ｐの厚さを精度良く検出することが可能となる。
【００３６】
また、本実施形態においては、定着ローラ６の近傍に設けられ、用紙Ｐと定着ローラ６との張り付きを解除する分離装置１０と、光学センサ９の検出結果に応じて、定着ローラ６に対し近接する近接位置と、定着ローラ６に対し離間する離間位置との間で、分離装置１０を移動させる駆動制御装置１１とを有するという構成を採用することによって、先端余白の距離に応じて、分離装置１０を定着ローラ６に対して近接離間させることによって、用紙Ｐと定着ローラ６との張り付きを効果的に解除してジャム等を抑制することができる。
【００３７】
また、本実施形態においては、分離装置１０は、定着ローラ６の近傍の所定位置に固定して設けられる固定分離部材１０１Ａと、定着ローラ６の近傍に設けられ、駆動制御装置１１により移動する移動分離部材１０１Ｂとを有するという構成を採用することによって、先端余白が所定距離以上である通常時では固定分離部材１０１Ａにより張り付き解除を行い、先端余白が所定距離未満である非常時では移動分離部材１０１Ｂを固定分離部材１０１Ａより定着ローラ６に近接させて張り付き解除を行うことが可能となる。
【００３８】
（第２実施形態）
続いて、図７を参照して本発明の第２実施形態について説明する。なお、第１実施形態と構成を同じくする部分の説明は割愛することとする。
図７は、本発明の第２実施形態における分離装置１０の構成を示す図である。
第２実施形態における分離装置１０は、支点１０１Ｃ１を通り搬送方向と直交する水平方向（図７において紙面垂直方向）に延びる軸周りに回転自在な分離板１０１Ｃと、分離板１０１Ｃと接続され定着ローラ６に張り付く用紙Ｐを分離させる押圧部材１０２Ｃと、分離板１０１Ｃと一端が接続され、他端がピン１０３Ｃと接続される引張バネ１０４Ｃと、ピン１０３Ｃを所定方向に移動させると共に、駆動制御装置１１と電気的に接続される不図示の駆動源とを備える。
【００３９】
上記構成の分離装置１０は、ソレノイドやカム等を備える駆動源によりピン１０３Ｃを移動させると、引張バネ１０４Ｃが伸長あるいは収縮し、分離板１０１Ｃを支点１０１Ｃ１周りに回転させる。分離板１０１Ｃが回転すると、分離板１０１Ｃの端部に接続された押圧部材１０２Ｃが揺動し、近接位置と離間位置との間で移動することとなる。
また、光学センサ９で検出した先端余白の距離Ｋが所定の規定値よりも短い場合は、駆動制御装置１１は、駆動源を駆動し、近接位置において押圧部材１０２Ｃと定着ローラ６とを当接させ、さらに、ピン１０３Ｃを移動させて押圧部材１０２Ｃと定着ローラ６との当接する圧力を調節することにより、用紙Ｐと定着ローラ６との密着度が高い張り付きを解除することができる。
【００４０】
したがって、第２実施形態においては、駆動制御装置１１は、上記近接位置において分離装置１０と定着ローラ６とを当接させ、光学センサ９の検出結果に応じて、上記当接する圧力を調節するという構成を採用することによって、当接する圧力を調整することで、例えば、先端余白の距離が小さい場合であっても、分離装置による張り付き解除不良を防止することが可能となる。
【００４１】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４２】
例えば、上記実施形態では、光学センサ９は、レーザー光Ｌの反射光を受光することにより用紙Ｐの厚さを検出すると説明したが、本発明は、上記構成に限定されるものでは無く、例えば、用紙Ｐにレーザー光Ｌを透過させて、透過した光量を計測することによって、用紙Ｐの厚さを検出する構成であっても良い。
【図面の簡単な説明】
【００４３】
【図１】本発明の第１実施形態における複写機の概略構成を示す正面図である。
【図２】本発明の第１実施形態における複写機の要部拡大図である。
【図３】本発明の第１実施形態における光学センサの検出原理を説明する図である。
【図４】本発明の第１実施形態における光学センサの検出結果の一例を示す平面図である。
【図５】本発明の第１実施形態における分離装置の動作を説明する図である。
【図６】本発明の第１実施形態における複写機の動作を説明するフローチャートである。
【図７】本発明の第２実施形態における分離装置の構成を示す図である。
【符号の説明】
【００４４】
１…複写機（画像形成装置）、５…転写装置、６…定着ローラ（定着装置）、９…光学センサ、１０…分離装置、１１…駆動制御装置、９１…投光装置（投光素子）、９４…受光装置（受光素子）、１０１Ａ…固定分離部材、１０１Ｂ…移動分離部材、Ｐ…用紙（記録媒体）
【図１】
2010079062.tif 000003
【図２】
2010079062.tif 000004
【図３】
2010079062.tif 000005
【図４】
2010079062.tif 000006
【図５】
2010079062.tif 000007
【図６】
2010079062.tif 000008
【図７】
2010079062.tif 000009